(57)【要約】【課題】基準モードの傾きに応じた適切な、アクセルとブレーキを切換えるための車速偏差データを得ることができるようにする。【解決手段】時刻と車速から定義される車両の運転パターンの基準モード（運転目標車速）に沿って、該基準モードから所定速度、所定時間ずれた範囲内で走行させるときの、アクセルからブレーキへ切換えるための車速偏差を算出する車速偏差算出方法であって、前記運転パターンの基準モード上の現在時刻における判定基準点Ａの車速を近似微分して基準モードの傾斜ＡＢを演算し、前記傾斜ＡＢに、アクセル→ブレーキ切換え時間偏差設定値Δｔ-1を乗算し、前記乗算値に、アクセル→ブレーキ切換え車速偏差設定値Δｖ-1を加算することによって、前記判定基準点Ａから、現在時刻におけるアクセルからブレーキへの切換え判定点Ｅまでの、アクセルからブレーキに切り換える車速偏差を算出する。【選択図】図３
2017083359.tif 000002
【特許請求の範囲】
【請求項１】
シャシーダイナモメータ上で車両を走行させて車両の各種試験を行う車両試験装置において、
時刻と車速から定義される車両の運転パターンの基準モードに沿って、該基準モードから所定速度、所定時間ずれた範囲内で走行させるように車速追従制御を行うときの、アクセルからブレーキへ切換えるための第１の切換え車速偏差、又はブレーキからアクセルへ切換えるための第２の切換え車速偏差のうち、少なくともいずれか一方を算出する車速偏差算出部を備え、
前記車速偏差算出部は、
前記運転パターンの基準モード上の現在時刻における判定基準点の車速を近似微分して基準モードの第１の傾斜を演算し、前記基準モードの第１の傾斜に、アクセルからブレーキに切換えるときの時間のずれを設定した第１の切換え時間偏差設定値を乗算し、前記乗算値に、アクセルからブレーキに切換えるときの車速のずれを設定した第１の切換え車速偏差設定値を加算することによって、前記判定基準点から、現在時刻におけるアクセルからブレーキへの切換え判定点までの第１の切換え車速偏差を算出する第１の算出処理か、
又は、前記運転パターンの基準モード上の現在時刻における判定基準点の車速を近似微分して基準モードの第２の傾斜を演算し、前記基準モードの第２の傾斜に、ブレーキからアクセルに切換えるときの時間のずれを設定した第２の切換え時間偏差設定値を乗算し、前記乗算値に、ブレーキからアクセルに切換えるときの車速のずれを設定した第２の切換え車速偏差設定値を加算することによって、前記判定基準点から、現在時刻におけるブレーキからアクセルへの切換え判定点までの第２の切換え車速偏差を算出する第２の算出処理、
のうち少なくともいずれか一方を実行する車両試験装置。
【請求項２】
前記第１又は第２の切換え時間偏差設定値および第１又は第２の切換え車速偏差設定値の少なくともいずれか一方を各々小さく設定し、基準モード走行中の各時刻におけるアクセルからブレーキへの切換え判定点を結んだ、アクセルからブレーキへの切換え線、又は基準モード走行中の各時刻におけるブレーキからアクセルへの切換え判定点を結んだ、ブレーキからアクセルへの切換え線の少なくともいずれか一方が、基準モードに近くなるようにした請求項１に記載の車両試験装置。
【請求項３】
前記第１又は第２の切換え時間偏差設定値および第１又は第２の切換え車速偏差設定値の少なくともいずれか一方を各々大きく設定し、基準モード走行中の各時刻におけるアクセルからブレーキへの切換え判定点を結んだ、アクセルからブレーキへの切換え線、又は基準モード走行中の各時刻におけるブレーキからアクセルへの切換え判定点を結んだ、ブレーキからアクセルへの切換え線の少なくともいずれか一方が、基準モードから遠く、且つ基準モードから所定速度、所定時間ずれた上限許容線以内、下限許容線以内となるようにした請求項１に記載の車両試験装置。
【請求項４】
基準モード走行中の各時刻におけるアクセルからブレーキへの切換え判定点を結んだ、アクセルからブレーキへの切換え線を第１の切換え線と定義し、基準モード走行中の各時刻におけるブレーキからアクセルへの切換え判定点を結んだ、ブレーキからアクセルへの切換え線を第２の切換え線と定義し、
各判定基準点の時刻で検出した車速が前記第１の切換え線を上回ったときにアクセルからブレーキに切換え、各判定基準点の時刻で検出した車速が前記第２の切換え線を下回ったときにブレーキからアクセルに切換える切換え制御部を備えた請求項１ないし３のいずれか１項に記載の車両試験装置。
【請求項５】
シャシーダイナモメータ上で車両を走行させて車両の各種試験を行う車両試験装置における、
時刻と車速から定義される車両の運転パターンの基準モードに沿って、該基準モードから所定速度、所定時間ずれた範囲内で走行させるように車速追従制御を行うときの、アクセルからブレーキへ切換えるための第１の切換え車速偏差、又はブレーキからアクセルへ切換えるための第２の切換え車速偏差のうち、少なくともいずれか一方を算出する車速偏差算出方法であって、
前記運転パターンの基準モード上の現在時刻における判定基準点の車速を近似微分して基準モードの第１の傾斜を演算し、前記基準モードの第１の傾斜に、アクセルからブレーキに切換えるときの時間のずれを設定した第１の切換え時間偏差設定値を乗算し、前記乗算値に、アクセルからブレーキに切換えるときの車速のずれを設定した第１の切換え車速偏差設定値を加算することによって、前記判定基準点から、現在時刻におけるアクセルからブレーキへの切換え判定点までの第１の切換え車速偏差を算出する第１の算出処理か、
又は、前記運転パターンの基準モード上の現在時刻における判定基準点の車速を近似微分して基準モードの第２の傾斜を演算し、前記基準モードの第２の傾斜に、ブレーキからアクセルに切換えるときの時間のずれを設定した第２の切換え時間偏差設定値を乗算し、前記乗算値に、ブレーキからアクセルに切換えるときの車速のずれを設定した第２の切換え車速偏差設定値を加算することによって、前記判定基準点から、現在時刻におけるブレーキからアクセルへの切換え判定点までの第２の切換え車速偏差を算出する第２の算出処理、
のうち少なくともいずれか一方を実行する車両試験装置の車速偏差算出方法。
【発明の詳細な説明】
【技術分野】
【０００１】
本発明は、シャシーダイナモメータ上で車両を走行させて車両の試験を行う車両試験装置に関し、特に、車速追従制御の際に、アクセルとブレーキを切換える切換え判定点を決定するための車速偏差を算出する技術に関する。
【背景技術】
【０００２】
従来からシャシーダイナモメータ上で試験車両を走行させて試験車両の燃費や排出ガス等の各種性能試験が行われている。この性能試験は、例えば図９に示す燃費消費率試験（ＪＣ０８モード）のように、時刻と車速から定義される運転パターンに従って、アクセルとブレーキとシフト操作（マニュアルトランスミッション車においてはクラッチ操作も）を適切に行って走行させる。
【０００３】
走行するにあたって、例えば図１０に示すように、時刻と車速から定められる基準モード（基準走行モード）の基準点と±２．０ｋｍ／ｈ（日本・欧州の場合は±２．０ｋｍ／ｈ、米国の場合は±２．０ｍｉｌｅ／ｈ）、±１．０秒の許容値からなる四角で定められる上限許容線と下限許容線の内側を走行しなければならない。
【０００４】
図１０において、上限許容線は、基準モードのある時刻における基準点から＋２．０ｋｍ／ｈ、＋１．０秒外れた上限点を各時刻毎に結んだ線であり、下限許容線は、基準モードのある時刻における基準点から−２．０ｋｍ／ｈ、−１．０秒外れた下限点を各時刻毎に結んだ線である。
【０００５】
この際、車速は試験車両側のアクセル操作とブレーキ操作により車速追従制御がなされ、シャシーダイナモメータは、試験車両のタイヤに接するローラにより仮想路面抵抗（負荷）が生ずるように車速に応じた負荷駆動パターンで駆動制御される。
【０００６】
前記アクセル操作、ブレーキ操作は運転者が行うに限らず、運転操作ロボットが行う場合もある。
【０００７】
前記車速の制御は、例えば予め運転パターンに従って基準モードに沿うよう走行制御して得た車速データを蓄積しておき、試験時にその蓄積された車速データを車速指令とし、該車速指令と検出した車速との車速偏差に基づいて車速追従制御がなされる。
【０００８】
尚、特許文献１には、前記車速偏差に基づいてアクセルとブレーキを切換えるためのブレーキ作動タイミング自動判別回路が記載されている。
【先行技術文献】
【特許文献】
【０００９】
【特許文献１】特許第４３４９１８７号公報
【発明の概要】
【発明が解決しようとする課題】
【００１０】
特許文献１を含めた従来の車速制御は、主に基準指令と車速検出の差分である車速偏差に注目し、基準車速への追従性向上を図っていた。
【００１１】
しかし、基準（走行）モードの傾斜が増すにつれて、その過渡における追従性が必要となり車速偏差は大きくなりやすく、アクセルとブレーキの切換えが発生しやすい。このように従来は、基準モードの傾きに応じた適切な車速偏差に基づく車速制御はなされていなかった。
【００１２】
本発明は上記課題を解決するものであり、その目的は、基準モードの傾きに応じた適切な、アクセルとブレーキを切換えるための車速偏差データを得ることができる車両試験装置および車両試験装置の車速偏差算出方法を提供することにある。
【課題を解決するための手段】
【００１３】
上記課題を解決するための請求項１に記載の車両試験装置は、シャシーダイナモメータ上で車両を走行させて車両の各種試験を行う車両試験装置において、
時刻と車速から定義される車両の運転パターンの基準モードに沿って、該基準モードから所定速度、所定時間ずれた範囲内で走行させるように車速追従制御を行うときの、アクセルからブレーキへ切換えるための第１の切換え車速偏差、又はブレーキからアクセルへ切換えるための第２の切換え車速偏差のうち、少なくともいずれか一方を算出する車速偏差算出部を備え、
前記車速偏差算出部は、
前記運転パターンの基準モード上の現在時刻における判定基準点の車速を近似微分して基準モードの第１の傾斜を演算し、前記基準モードの第１の傾斜に、アクセルからブレーキに切換えるときの時間のずれを設定した第１の切換え時間偏差設定値を乗算し、前記乗算値に、アクセルからブレーキに切換えるときの車速のずれを設定した第１の切換え車速偏差設定値を加算することによって、前記判定基準点から、現在時刻におけるアクセルからブレーキへの切換え判定点までの第１の切換え車速偏差を算出する第１の算出処理か、
又は、前記運転パターンの基準モード上の現在時刻における判定基準点の車速を近似微分して基準モードの第２の傾斜を演算し、前記基準モードの第２の傾斜に、ブレーキからアクセルに切換えるときの時間のずれを設定した第２の切換え時間偏差設定値を乗算し、前記乗算値に、ブレーキからアクセルに切換えるときの車速のずれを設定した第２の切換え車速偏差設定値を加算することによって、前記判定基準点から、現在時刻におけるブレーキからアクセルへの切換え判定点までの第２の切換え車速偏差を算出する第２の算出処理、
のうち少なくともいずれか一方を実行することを特徴としている。
【００１４】
また、請求項５に記載の車両試験装置の車速偏差算出方法は、シャシーダイナモメータ上で車両を走行させて車両の各種試験を行う車両試験装置における、
時刻と車速から定義される車両の運転パターンの基準モードに沿って、該基準モードから所定速度、所定時間ずれた範囲内で走行させるように車速追従制御を行うときの、アクセルからブレーキへ切換えるための第１の切換え車速偏差、又はブレーキからアクセルへ切換えるための第２の切換え車速偏差のうち、少なくともいずれか一方を算出する車速偏差算出方法であって、
前記運転パターンの基準モード上の現在時刻における判定基準点の車速を近似微分して基準モードの第１の傾斜を演算し、前記基準モードの第１の傾斜に、アクセルからブレーキに切換えるときの時間のずれを設定した第１の切換え時間偏差設定値を乗算し、前記乗算値に、アクセルからブレーキに切換えるときの車速のずれを設定した第１の切換え車速偏差設定値を加算することによって、前記判定基準点から、現在時刻におけるアクセルからブレーキへの切換え判定点までの第１の切換え車速偏差を算出する第１の算出処理か、
又は、前記運転パターンの基準モード上の現在時刻における判定基準点の車速を近似微分して基準モードの第２の傾斜を演算し、前記基準モードの第２の傾斜に、ブレーキからアクセルに切換えるときの時間のずれを設定した第２の切換え時間偏差設定値を乗算し、前記乗算値に、ブレーキからアクセルに切換えるときの車速のずれを設定した第２の切換え車速偏差設定値を加算することによって、前記判定基準点から、現在時刻におけるブレーキからアクセルへの切換え判定点までの第２の切換え車速偏差を算出する第２の算出処理、
のうち少なくともいずれか一方を実行することを特徴としている。
【００１５】
上記構成によれば、基準モードの現在時刻の傾きに応じた、適切なアクセルとブレーキを切換えるための車速偏差（アクセルからブレーキへ切換える第１の切換え車速偏差、ブレーキからアクセルへ切換える第２の切換え車速偏差）のデータが得られる。このため、この切換え車速偏差データを用いてアクセル、ブレーキを操作することにより、車速追従制御の車速追従性能が向上する。
【００１６】
また、請求項２に記載の車両試験装置は、請求項１において、前記第１又は第２の切換え時間偏差設定値および第１又は第２の切換え車速偏差設定値の少なくともいずれか一方を各々小さく設定し、基準モード走行中の各時刻におけるアクセルからブレーキへの切換え判定点を結んだ、アクセルからブレーキへの切換え線、又は基準モード走行中の各時刻におけるブレーキからアクセルへの切換え判定点を結んだ、ブレーキからアクセルへの切換え線の少なくともいずれか一方が、基準モードに近くなるようにしたことを特徴とする。
【００１７】
上記構成によれば、アクセルからブレーキへの切換え線、ブレーキからアクセルへの切換え線を基準モードに近くすることができるので、基準モードに沿った走行を実現することができる。
【００１８】
また、請求項３に記載の車両試験装置は、請求項１において、前記第１又は第２の切換え時間偏差設定値および第１又は第２の切換え車速偏差設定値の少なくともいずれか一方を各々大きく設定し、基準モード走行中の各時刻におけるアクセルからブレーキへの切換え判定点を結んだ、アクセルからブレーキへの切換え線、又は基準モード走行中の各時刻におけるブレーキからアクセルへの切換え判定点を結んだ、ブレーキからアクセルへの切換え線の少なくともいずれか一方が、基準モードから遠く、且つ基準モードから所定速度、所定時間ずれた上限許容線以内、下限許容線以内となるようにしたことを特徴とする。
【００１９】
上記構成によれば、アクセルからブレーキへの切換え線、ブレーキからアクセルへの切換え線を基準モードから遠くすることができ、基準モードの上限、下限許容線を超えることなく、アクセルとブレーキの切換えの頻度を少なくすることができる。これによって、車速の許容範囲内で燃費・排出ガスの良い運転を行うことができる。
【００２０】
また、請求項４に記載の車両試験装置は、請求項１ないし３のいずれか１項において、基準モード走行中の各時刻におけるアクセルからブレーキへの切換え判定点を結んだ、アクセルからブレーキへの切換え線を第１の切換え線と定義し、基準モード走行中の各時刻におけるブレーキからアクセルへの切換え判定点を結んだ、ブレーキからアクセルへの切換え線を第２の切換え線と定義し、
各判定基準点の時刻で検出した車速が前記第１の切換え線を上回ったときにアクセルからブレーキに切換え、各判定基準点の時刻で検出した車速が前記第２の切換え線を下回ったときにブレーキからアクセルに切換える切換え制御部を備えたことを特徴としている。
【００２１】
上記構成によれば、基準モードに沿い且つ基準モードの上限、下限許容線を超えることなく運転制御することができる。
【発明の効果】
【００２２】
（１）請求項１〜５に記載の発明によれば、基準モードの現在時刻の傾きに応じた、適切なアクセルとブレーキを切換えるための車速偏差（アクセルからブレーキへ切換える第１の切換え車速偏差、ブレーキからアクセルへ切換える第２の切換え車速偏差）のデータが得られる。このため、この切換え車速偏差データを用いてアクセル、ブレーキを操作することにより、車速追従制御の車速追従性能が向上する。
（２）請求項２に記載の発明によれば、アクセルからブレーキへの切換え線、ブレーキからアクセルへの切換え線を基準モードに近くすることができるので、基準モードに沿った走行を実現することができる。
（３）請求項３に記載の発明によれば、アクセルからブレーキへの切換え線、ブレーキからアクセルへの切換え線を基準モードから遠くすることができ、基準モードの上限、下限許容線を超えることなく、アクセルとブレーキの切換えの頻度を少なくすることができる。これによって、車速の許容範囲内で燃費・排出ガスの良い運転を行うことができる。
（４）請求項４に記載の発明によれば、基準モードに沿い且つ基準モードの上限、下限許容線を超えることなく運転制御することができる。
【図面の簡単な説明】
【００２３】
【図１】本発明の実施形態例を適用した運転パターンの概略説明図。
【図２】本発明の実施形態例の演算で使用する設定パラメータ、基準モード、アクセルとブレーキの切換え線の関係を示す説明図。
【図３】本発明の実施形態例におけるアクセルからブレーキへ切換えるための車速偏差の算出方法を示す説明図。
【図４】本発明の実施形態例におけるアクセルからブレーキへ切換えるときの動作を示す説明図。
【図５】本発明の実施形態例におけるブレーキからアクセルへ切換えるための車速偏差の算出方法を示す説明図。
【図６】本発明の実施形態例におけるブレーキからアクセルへ切換えるときの動作を示す説明図。
【図７】本発明の実施形態例の演算で使用する設定パラメータ、基準モード、アクセルとブレーキの切換え線および切換え判定点の関係を示す説明図。
【図８】本発明の実施形態例による車両試験装置の構成図。
【図９】試験走行モード（ＪＣ０８モード）を示す特性図。
【図１０】従来の走行モードにおける、基準モード、上限、下限許容線の関係を示す説明図。
【発明を実施するための形態】
【００２４】
以下、図面を参照しながら本発明の実施の形態を説明するが、本発明は下記の実施形態例に限定されるものではない。図１は、本発明により求めた切換え車速偏差のデータを用いて、試験車両のアクセルとブレーキを切換え制御して走行させる運転パターンの一例を示している。
【００２５】
図１の上限許容線、下限許容線は、図１０で述べた、基準モード上の基準点と±２．０ｋｍ／ｈ、±１．０秒の許容値からなる四角で定められた線であり、この上限許容線と下限許容線の内側を走行するよう日本の規格で定められている。
【００２６】
本実施形態例では、以下の方針で上限許容線と下限許容線の内側を走行させる。
（１）アクセルで基準モードへ追従する場合  
（１ａ）基準モードの上限許容線まで遠い場合は、アクセルを増減させながら（制御しながら）、基準モードに近づくよう走行する。
（１ｂ）基準モードの上限許容線に近づいた場合は、アクセルを離しブレーキを踏む。
（２）ブレーキで基準モードへ追従する場合
（２ａ）基準モードの下限許容線まで遠い場合は、ブレーキを増減させながら（制御しながら）、基準モードに近づくよう走行する。
（２ｂ）基準モードの下限許容線に近づいた場合は、ブレーキを離しアクセルを踏む。
【００２７】
前記（１ｂ）、（２ｂ）においてアクセルとブレーキの切換え操作を行う場合、上限許容線・下限許容線の各々内側で実施する必要がある。このため図２に示すように、実線の長方形の内側にアクセル・ブレーキ切換えに関する一点鎖線の長方形を設定する。図２において図１０と同一部分は同一符号をもって示している。
【００２８】
図２において、一点鎖線で示す切換えに関する長方形の長辺は、予め設定した、アクセルからブレーキへの切換え車速偏差（アクセルからブレーキに切換えるときの車速のずれを設定した第１の切換え車速偏差設定値）と、ブレーキからアクセルへの切換え車速偏差（ブレーキからアクセルに切換えるときの車速のずれを設定した第２の切換え車速偏差設定値）とから成る。
【００２９】
一点鎖線で示す切換えに関する長方形の短辺は、予め設定した、アクセルからブレーキへの切換え時間偏差（アクセルからブレーキに切換えるときの時間のずれを設定した第１の切換え時間偏差設定値）と、ブレーキからアクセルへの切換え時間偏差（ブレーキからアクセルに切換えるときの時間のずれを設定した第２の切換え時間偏差設定値）とから成る。
【００３０】
次に、アクセルからブレーキへ切換えるための切換え車速偏差（第１の切換え車速偏差）を算出し、その算出値に基づいてアクセルからブレーキへの切換え線を求める方法、およびブレーキからアクセルへ切換えるための切換え車速偏差（第２の切換え車速偏差）を算出し、その算出値に基づいてブレーキからアクセルへの切換え線を求める方法を図３〜図７を用いて説明する。尚、図３〜図６で表記した「ＡＣ」はアクセル、「ＢＲ」はブレーキを各々示している。
【００３１】
本実施形態例では、前記第１の切換え車速偏差、第２の切換え車速偏差を算出する際に、基準モードの傾斜に対応するため、時間偏差を加味した。
（１）アクセルからブレーキへの切換え車速偏差の算出方法と切換え動作
図３の実線で示す運転目標車速は、図２の運転パターンの基準モードと同様に、基準車速に対し、例えば図１の折線部分を滑らかにしたり、運転パターンのかさ上げ等の加工を行った、車速制御器への参照入力である（基準車速そのものを使用する場合もある）。
【００３２】
運転目標車速の点Ａをある時刻における切換え判定の基準点とし、判定基準点Ａから時間軸方向に、アクセルからブレーキに切換えるときの時間のずれをアクセル→ブレーキ切換え時間偏差Δｔ-1として設定し、判定基準点Ａから車速軸方向に、アクセルからブレーキに切換えるときの車速のずれをアクセル→ブレーキ切換え車速偏差Δｖ-1として設定し、Ａ点からΔｔ-1且つΔｖ-1離れた点をＢとする。
【００３３】
そして、判定基準点Ａの運転目標車速を差分法等で近似微分して傾斜ＡＢ（第１の傾斜：加速度）を算出し、傾斜ＡＢを車速軸の増速方向に同じ長さでΔｖ-1平行移動した点をＣ、Ｄとする。
【００３４】
次に傾斜ＣＤ（第１の傾斜ＡＢと同義）に、前記アクセル→ブレーキ切換え時間偏差Δｔ-1（＝ＣＢ）を乗じて車速偏差ＣＥ（＝Δｖt-1）を算出する。
【００３５】
次にアクセル→ブレーキ切換え車速偏差（設定値）Δｖ-1（ＡＣ）と前記乗算値である車速偏差Δｖt-1（ＣＥ）を合算してアクセルからブレーキへ切換えるための車速偏差（ＡＥの長さ；第１の切換え車速偏差）とする。
【００３６】
Ｅ点が、ある時刻におけるアクセルからブレーキへの切換え判定点となる。そして各時刻で算出した切換え判定点Ｅを接続する（結ぶ）ことでアクセルからブレーキへの切換え線（一点鎖線；図２の実線の上限許容線よりも内側の一点鎖線）となる。
【００３７】
実際の試験走行では、図４のように、切換え判定の基準点Ａの時刻で、太実線で示す車速検出（値）がアクセルからブレーキへの切換え線を上回った際に、アクセルからブレーキに切換える。尚、図４において図３と同一部分は同一符号をもって示している。
（２）ブレーキからアクセルへの切換え車速偏差の算出方法と切換え動作
図５の実線で示す運転目標車速は、図２の運転パターンの基準モードと同様に、基準車速に対し、例えば図１の折線部分を滑らかにしたり、運転パターンのかさ上げ等の加工を行った、車速制御器への参照入力である（基準車速そのものを使用する場合もある）。
【００３８】
運転目標車速の点Ａをある時刻における切換え判定の基準点とし、判定基準点Ａから時間軸方向に、ブレーキからアクセルに切換えるときの時間のずれをブレーキ→アクセル切換え時間偏差Δｔ-2として設定し、判定基準点Ａから車速軸方向に、ブレーキからアクセルに切換えるときの車速のずれをブレーキ→アクセル切換え車速偏差Δｖ-2として設定し、Ａ点からΔｔ-2且つΔｖ-2離れた点をＢとする。
【００３９】
そして、判定基準点Ａの運転目標車速を差分法等で近似微分して傾斜ＡＢ（第２の傾斜：減速度）を算出し、傾斜ＡＢを車速軸の減速方向に同じ長さでΔｖ-2平行移動した点をＣ、Ｄとする。
【００４０】
次に傾斜ＣＤ（第２の傾斜ＡＢと同義）に、前記ブレーキ→アクセル切換え時間偏差Δｔ-2（＝ＣＢ）を乗じて車速偏差ＣＥ（＝Δｖt-2）を算出する。
【００４１】
次にブレーキ→アクセル切換え車速偏差（設定値）Δｖ-2（ＡＣ）と前記乗算値である車速偏差Δｖt-2（ＣＥ）を合算してブレーキからアクセルへ切換えるための車速偏差（ＡＥの長さ；第２の切換え車速偏差）とする。
【００４２】
Ｅ点が、ある時刻におけるブレーキからアクセルへの切換え判定点となる。そして各時刻で算出した切換え判定点Ｅを接続する（結ぶ）ことでブレーキからアクセルへの切換え線（一点鎖線；図２の実線の下限許容線よりも内側の一点鎖線）となる。
【００４３】
実際の試験走行では、図６のように、切換え判定の基準点Ａの時刻で、太実線で示す車速検出（値）がブレーキからアクセルへの切換え線を下回った際に、ブレーキからアクセルに切換える。尚、図６において図５と同一部分は同一符号をもって示している。
【００４４】
アクセルからブレーキへの切換えもしくはブレーキからアクセルへの切換えは、走行時の現在の時点で判断する必要があり、その判断する点（切換え判定を行う点Ｅ）を図７に示す。
【００４５】
図７は図２に図３、図５の点Ａ〜点Ｅを重ねて表示したものであり、図２、図３、図５と同一部分は同一符号をもって示しているが、前記車速偏差、時間偏差はアクセルからブレーキへ切換える側の偏差Δｖt、Δｖ、Δtのみ表記している。
【００４６】
前記設定パラメータである、アクセル→ブレーキ切換え車速偏差Δｖ-1（第１の切換え車速偏差設定値）、ブレーキ→アクセル切換え車速偏差Δｖ-2（第２の切換え車速偏差設定値）、アクセル→ブレーキ切換え時間偏差Δt-1（第１の切換え時間偏差設定値）、ブレーキ→アクセル切換え時間偏差Δt-2（第２の切換え時間偏差設定値）は、各々比較的小さな値に設定すれば、図２、図７の一点鎖線で示す切換えに関する長方形が小さくなって、アクセルからブレーキへの切換え線、ブレーキからアクセルへの切換え線が基準モードに近づく。このため、このように設定して算出したデータを基にアクセルとブレーキの切換え制御を行うと、基準モードにより近い（基準モードに沿った）走行となる。
【００４７】
また、これとは逆に、前記各設定パラメータΔｖ-1、Δｖ-2、Δｔ-1、Δｔ-2を、各々規格で定められている±２．０ｋｍ／ｈ、±１．０秒未満のある程度大きな値に設定すれば、図２、図７の一点鎖線で示す切換えに関する長方形が大きくなって、アクセルからブレーキへの切換え線、ブレーキからアクセルへの切換え線が基準モードから遠くなる。このため、このように設定して算出したデータを基にアクセルとブレーキの切換え制御を行うと、基準モードの上限、下限許容線を超えることなく、アクセルとブレーキの切換え頻度を少なくすることができる。これによって、車速の許容範囲内で燃費・排出ガスの良い運転を行うことができる。
【００４８】
上記のようにして基準モードの傾斜に応じた、アクセルとブレーキを切換えるための車速偏差を算出し、その算出した車速偏差データに基づいて試験車両のアクセルとブレーキの操作を切換える車両試験装置は、例えば図８のように構成される。
【００４９】
図８において、シャシーダイナモメータ１００上には試験車両１１０が載置され、試験車両１１０の車速は、シャシーダイナモメータ１００のローラに設けられたパルス検出器（図示省略）によって検出される。１２０は、例えば図３、図５に示す運転目標車速（基準モード）情報が与えられ、図２〜図７で述べた演算（Δｖｔ-1＋Δｖ-1、Δｖｔ-2＋Δｖ-2）を行って、アクセルからブレーキへ切換えるための第１の切換え車速偏差（図３のＡＥの長さ）およびブレーキからアクセルへ切換えるための第２の切換え車速偏差（図５のＡＥの長さ）を求める車速偏差算出部である。
【００５０】
１３０は、車速偏差算出部１２０で求められた第１の切換え車速偏差に基づいて図３で述べた方法によりアクセルからブレーキへの切換え線を定義し（作成し）、試験車両の検出車速が図４のようにアクセルからブレーキへの切換え線を上回った際にアクセルからブレーキに切換え、前記第２の切換え車速偏差に基づいて図５で述べた方法によりブレーキからアクセルへの切換え線を定義し（作成し）、試験車両の検出車速が図６のようにブレーキからアクセルへの切換え線を下回った際にブレーキからアクセルに切換える制御を行う切換え制御部である。
【００５１】
以上のように本実施形態例によれば、基準モードの現在時刻の傾きに応じた、適切なアクセルとブレーキを切換えるための車速偏差（アクセルからブレーキへ切換える第１の切換え車速偏差、ブレーキからアクセルへ切換える第２の切換え車速偏差）のデータが得られる。このため、この切換え車速偏差データを用いてアクセル、ブレーキを操作することにより、車速追従制御の車速追従性能が向上する。
【符号の説明】
【００５２】
１００…シャシーダイナモメータ
１１０…試験車両
１２０…車速偏差算出部
１３０…切換え制御部
【図１】
2017083359.tif 000003
【図２】
2017083359.tif 000004
【図３】
2017083359.tif 000005
【図４】
2017083359.tif 000006
【図５】
2017083359.tif 000007
【図６】
2017083359.tif 000008
【図７】
2017083359.tif 000009
【図８】
2017083359.tif 000010
【図９】
2017083359.tif 000011
【図１０】
2017083359.tif 000012
【手続補正書】
【提出日】平成28年11月24日(2016.11.24)
【手続補正１】
【補正対象書類名】明細書
【補正対象項目名】００１６
【補正方法】変更
【補正の内容】
【００１６】
また、請求項２に記載の車両試験装置は、請求項１において、前記第１又は第２の切換え時間偏差設定値および第１又は第２の切換え車速偏差設定値の少なくともいずれか一方を、基準モード走行中の各時刻におけるアクセルからブレーキへの切換え判定点を結んだアクセルからブレーキへの切換え線、又は基準モード走行中の各時刻におけるブレーキからアクセルへの切換え判定点を結んだブレーキからアクセルへの切換え線の少なくともいずれか一方が、前記基準モードに近くなる設定値に各々設定したことを特徴とする。
【手続補正２】
【補正対象書類名】明細書
【補正対象項目名】００１８
【補正方法】変更
【補正の内容】
【００１８】
また、請求項３に記載の車両試験装置は、請求項１において、前記第１又は第２の切換え時間偏差設定値および第１又は第２の切換え車速偏差設定値の少なくともいずれか一方を、基準モード走行中の各時刻におけるアクセルからブレーキへの切換え判定点を結んだアクセルからブレーキへの切換え線、又は基準モード走行中の各時刻におけるブレーキからアクセルへの切換え判定点を結んだブレーキからアクセルへの切換え線の少なくともいずれか一方が、前記基準モードから遠く、且つ基準モードから所定速度、所定時間ずれた上限許容線以内、下限許容線以内となる設定値に各々設定したことを特徴とする。
【手続補正３】
【補正対象書類名】特許請求の範囲
【補正対象項目名】全文
【補正方法】変更
【補正の内容】
【特許請求の範囲】
【請求項１】
シャシーダイナモメータ上で車両を走行させて車両の各種試験を行う車両試験装置において、
時刻と車速から定義される車両の運転パターンの基準モードに沿って、該基準モードから所定速度、所定時間ずれた範囲内で走行させるように車速追従制御を行うときの、アクセルからブレーキへ切換えるための第１の切換え車速偏差、又はブレーキからアクセルへ切換えるための第２の切換え車速偏差のうち、少なくともいずれか一方を算出する車速偏差算出部を備え、
前記車速偏差算出部は、
前記運転パターンの基準モード上の現在時刻における判定基準点の車速を近似微分して基準モードの第１の傾斜を演算し、前記基準モードの第１の傾斜に、アクセルからブレーキに切換えるときの時間のずれを設定した第１の切換え時間偏差設定値を乗算し、前記乗算値に、アクセルからブレーキに切換えるときの車速のずれを設定した第１の切換え車速偏差設定値を加算することによって、前記判定基準点から、現在時刻におけるアクセルからブレーキへの切換え判定点までの第１の切換え車速偏差を算出する第１の算出処理か、
又は、前記運転パターンの基準モード上の現在時刻における判定基準点の車速を近似微分して基準モードの第２の傾斜を演算し、前記基準モードの第２の傾斜に、ブレーキからアクセルに切換えるときの時間のずれを設定した第２の切換え時間偏差設定値を乗算し、前記乗算値に、ブレーキからアクセルに切換えるときの車速のずれを設定した第２の切換え車速偏差設定値を加算することによって、前記判定基準点から、現在時刻におけるブレーキからアクセルへの切換え判定点までの第２の切換え車速偏差を算出する第２の算出処理、
のうち少なくともいずれか一方を実行する車両試験装置。
【請求項２】
前記第１又は第２の切換え時間偏差設定値および第１又は第２の切換え車速偏差設定値の少なくともいずれか一方を、基準モード走行中の各時刻におけるアクセルからブレーキへの切換え判定点を結んだアクセルからブレーキへの切換え線、又は基準モード走行中の各時刻におけるブレーキからアクセルへの切換え判定点を結んだブレーキからアクセルへの切換え線の少なくともいずれか一方が、前記基準モードに近くなる設定値に各々設定した請求項１に記載の車両試験装置。
【請求項３】
前記第１又は第２の切換え時間偏差設定値および第１又は第２の切換え車速偏差設定値の少なくともいずれか一方を、基準モード走行中の各時刻におけるアクセルからブレーキへの切換え判定点を結んだアクセルからブレーキへの切換え線、又は基準モード走行中の各時刻におけるブレーキからアクセルへの切換え判定点を結んだブレーキからアクセルへの切換え線の少なくともいずれか一方が、前記基準モードから遠く、且つ基準モードから所定速度、所定時間ずれた上限許容線以内、下限許容線以内となる設定値に各々設定した請求項１に記載の車両試験装置。
【請求項４】
基準モード走行中の各時刻におけるアクセルからブレーキへの切換え判定点を結んだ、アクセルからブレーキへの切換え線を第１の切換え線と定義し、基準モード走行中の各時刻におけるブレーキからアクセルへの切換え判定点を結んだ、ブレーキからアクセルへの切換え線を第２の切換え線と定義し、
各判定基準点の時刻で検出した車速が前記第１の切換え線を上回ったときにアクセルからブレーキに切換え、各判定基準点の時刻で検出した車速が前記第２の切換え線を下回ったときにブレーキからアクセルに切換える切換え制御部を備えた請求項１ないし３のいずれか１項に記載の車両試験装置。
【請求項５】
シャシーダイナモメータ上で車両を走行させて車両の各種試験を行う車両試験装置における、
時刻と車速から定義される車両の運転パターンの基準モードに沿って、該基準モードから所定速度、所定時間ずれた範囲内で走行させるように車速追従制御を行うときの、アクセルからブレーキへ切換えるための第１の切換え車速偏差、又はブレーキからアクセルへ切換えるための第２の切換え車速偏差のうち、少なくともいずれか一方を算出する車速偏差算出方法であって、
前記運転パターンの基準モード上の現在時刻における判定基準点の車速を近似微分して基準モードの第１の傾斜を演算し、前記基準モードの第１の傾斜に、アクセルからブレーキに切換えるときの時間のずれを設定した第１の切換え時間偏差設定値を乗算し、前記乗算値に、アクセルからブレーキに切換えるときの車速のずれを設定した第１の切換え車速偏差設定値を加算することによって、前記判定基準点から、現在時刻におけるアクセルからブレーキへの切換え判定点までの第１の切換え車速偏差を算出する第１の算出処理か、
又は、前記運転パターンの基準モード上の現在時刻における判定基準点の車速を近似微分して基準モードの第２の傾斜を演算し、前記基準モードの第２の傾斜に、ブレーキからアクセルに切換えるときの時間のずれを設定した第２の切換え時間偏差設定値を乗算し、前記乗算値に、ブレーキからアクセルに切換えるときの車速のずれを設定した第２の切換え車速偏差設定値を加算することによって、前記判定基準点から、現在時刻におけるブレーキからアクセルへの切換え判定点までの第２の切換え車速偏差を算出する第２の算出処理、
のうち少なくともいずれか一方を実行する車両試験装置の車速偏差算出方法。
【手続補正書】
【提出日】平成29年3月9日(2017.3.9)
【手続補正１】
【補正対象書類名】明細書
【補正対象項目名】００１４
【補正方法】変更
【補正の内容】
【００１４】
また、請求項４に記載の車両試験装置の車速偏差算出方法は、シャシーダイナモメータ上で車両を走行させて車両の各種試験を行う車両試験装置における、
時刻と車速から定義される車両の運転パターンの基準モードに沿って、該基準モードから所定速度、所定時間ずれた範囲内で走行させるように車速追従制御を行うときの、アクセルからブレーキへ切換えるための第１の切換え車速偏差、又はブレーキからアクセルへ切換えるための第２の切換え車速偏差のうち、少なくともいずれか一方を算出する車速偏差算出方法であって、
前記運転パターンの基準モード上の現在時刻における判定基準点の車速を近似微分して基準モードの第１の傾斜を演算し、前記基準モードの第１の傾斜に、アクセルからブレーキに切換えるときの時間のずれを設定した第１の切換え時間偏差設定値を乗算し、前記乗算値に、アクセルからブレーキに切換えるときの車速のずれを設定した第１の切換え車速偏差設定値を加算することによって、前記判定基準点から、現在時刻におけるアクセルからブレーキへの切換え判定点までの第１の切換え車速偏差を算出する第１の算出処理か、
又は、前記運転パターンの基準モード上の現在時刻における判定基準点の車速を近似微分して基準モードの第２の傾斜を演算し、前記基準モードの第２の傾斜に、ブレーキからアクセルに切換えるときの時間のずれを設定した第２の切換え時間偏差設定値を乗算し、前記乗算値に、ブレーキからアクセルに切換えるときの車速のずれを設定した第２の切換え車速偏差設定値を加算することによって、前記判定基準点から、現在時刻におけるブレーキからアクセルへの切換え判定点までの第２の切換え車速偏差を算出する第２の算出処理、
のうち少なくともいずれか一方を実行することを特徴としている。
【手続補正２】
【補正対象書類名】明細書
【補正対象項目名】００１６
【補正方法】変更
【補正の内容】
【００１６】
また、請求項２に記載の車両試験装置は、請求項１において、前記基準モードのある時刻における基準点から所定速度、所定時間外れた上限点を各時刻毎に結んだ線を上限許容線とし、
前記基準モードのある時刻における基準点から所定速度、所定時間外れた下限点を各時刻毎に結んだ線を下限許容線とし、
前記基準モード走行中の各時刻におけるアクセルからブレーキへの切換え判定点を結んだ線をアクセルからブレーキへの切換え線とし、
前記基準モード走行中の各時刻におけるブレーキからアクセルへの切換え判定点を結んだ線をブレーキからアクセルへの切換え線とし、
前記第１又は第２の切換え時間偏差設定値および第１又は第２の切換え車速偏差設定値の少なくともいずれか一方を、前記アクセルからブレーキへの切換え線又はブレーキからアクセルへの切換え線の少なくともいずれか一方が前記上限許容線又は下限許容線を超えることのない第３の設定値に各々設定したことを特徴とする。
【手続補正３】
【補正対象書類名】明細書
【補正対象項目名】００１７
【補正方法】変更
【補正の内容】
【００１７】
上記構成によれば、アクセルからブレーキへの切換え線、ブレーキからアクセルへの切換え線を基準モードに近くすることができるので、基準モードに沿った走行を実現することができる。
また、アクセルからブレーキへの切換え線、ブレーキからアクセルへの切換え線を基準モードから遠くすることができ、基準モードの上限、下限許容線を超えることなく、アクセルとブレーキの切換えの頻度を少なくすることができる。これによって、車速の許容範囲内で燃費・排出ガスの良い運転を行うことができる。
【手続補正４】
【補正対象書類名】明細書
【補正対象項目名】００１８
【補正方法】削除
【補正の内容】
【手続補正５】
【補正対象書類名】明細書
【補正対象項目名】００１９
【補正方法】削除
【補正の内容】
【手続補正６】
【補正対象書類名】明細書
【補正対象項目名】００２０
【補正方法】変更
【補正の内容】
【００２０】
また、請求項３に記載の車両試験装置は、請求項１又は２において、基準モード走行中の各時刻におけるアクセルからブレーキへの切換え判定点を結んだ、アクセルからブレーキへの切換え線を第１の切換え線と定義し、基準モード走行中の各時刻におけるブレーキからアクセルへの切換え判定点を結んだ、ブレーキからアクセルへの切換え線を第２の切換え線と定義し、
各判定基準点の時刻で検出した車速が前記第１の切換え線を上回ったときにアクセルからブレーキに切換え、各判定基準点の時刻で検出した車速が前記第２の切換え線を下回ったときにブレーキからアクセルに切換える切換え制御部を備えたことを特徴としている。
【手続補正７】
【補正対象書類名】明細書
【補正対象項目名】００２２
【補正方法】変更
【補正の内容】
【００２２】
（１）請求項１〜４に記載の発明によれば、基準モードの現在時刻の傾きに応じた、適切なアクセルとブレーキを切換えるための車速偏差（アクセルからブレーキへ切換える第１の切換え車速偏差、ブレーキからアクセルへ切換える第２の切換え車速偏差）のデータが得られる。このため、この切換え車速偏差データを用いてアクセル、ブレーキを操作することにより、車速追従制御の車速追従性能が向上する。
（２）請求項２に記載の発明によれば、アクセルからブレーキへの切換え線、ブレーキからアクセルへの切換え線を基準モードに近くすることができるので、基準モードに沿った走行を実現することができる。
また、アクセルからブレーキへの切換え線、ブレーキからアクセルへの切換え線を基準モードから遠くすることができ、基準モードの上限、下限許容線を超えることなく、アクセルとブレーキの切換えの頻度を少なくすることができる。これによって、車速の許容範囲内で燃費・排出ガスの良い運転を行うことができる。
（３）請求項３に記載の発明によれば、基準モードに沿い且つ基準モードの上限、下限許容線を超えることなく運転制御することができる。
【手続補正８】
【補正対象書類名】特許請求の範囲
【補正対象項目名】全文
【補正方法】変更
【補正の内容】
【特許請求の範囲】
【請求項１】
シャシーダイナモメータ上で車両を走行させて車両の各種試験を行う車両試験装置において、
時刻と車速から定義される車両の運転パターンの基準モードに沿って、該基準モードから所定速度、所定時間ずれた範囲内で走行させるように車速追従制御を行うときの、アクセルからブレーキへ切換えるための第１の切換え車速偏差、又はブレーキからアクセルへ切換えるための第２の切換え車速偏差のうち、少なくともいずれか一方を算出する車速偏差算出部を備え、
前記車速偏差算出部は、
前記運転パターンの基準モード上の現在時刻における判定基準点の車速を近似微分して基準モードの第１の傾斜を演算し、前記基準モードの第１の傾斜に、アクセルからブレーキに切換えるときの時間のずれを設定した第１の切換え時間偏差設定値を乗算し、前記乗算値に、アクセルからブレーキに切換えるときの車速のずれを設定した第１の切換え車速偏差設定値を加算することによって、前記判定基準点から、現在時刻におけるアクセルからブレーキへの切換え判定点までの第１の切換え車速偏差を算出する第１の算出処理か、
又は、前記運転パターンの基準モード上の現在時刻における判定基準点の車速を近似微分して基準モードの第２の傾斜を演算し、前記基準モードの第２の傾斜に、ブレーキからアクセルに切換えるときの時間のずれを設定した第２の切換え時間偏差設定値を乗算し、前記乗算値に、ブレーキからアクセルに切換えるときの車速のずれを設定した第２の切換え車速偏差設定値を加算することによって、前記判定基準点から、現在時刻におけるブレーキからアクセルへの切換え判定点までの第２の切換え車速偏差を算出する第２の算出処理、
のうち少なくともいずれか一方を実行する車両試験装置。
【請求項２】
前記基準モードのある時刻における基準点から所定速度、所定時間外れた上限点を各時刻毎に結んだ線を上限許容線とし、
前記基準モードのある時刻における基準点から所定速度、所定時間外れた下限点を各時刻毎に結んだ線を下限許容線とし、
前記基準モード走行中の各時刻におけるアクセルからブレーキへの切換え判定点を結んだ線をアクセルからブレーキへの切換え線とし、
前記基準モード走行中の各時刻におけるブレーキからアクセルへの切換え判定点を結んだ線をブレーキからアクセルへの切換え線とし、
前記第１又は第２の切換え時間偏差設定値および第１又は第２の切換え車速偏差設定値の少なくともいずれか一方を、前記アクセルからブレーキへの切換え線又はブレーキからアクセルへの切換え線の少なくともいずれか一方が前記上限許容線又は下限許容線を超えることのない第３の設定値に各々設定した請求項１に記載の車両試験装置。
【請求項３】
基準モード走行中の各時刻におけるアクセルからブレーキへの切換え判定点を結んだ、アクセルからブレーキへの切換え線を第１の切換え線と定義し、基準モード走行中の各時刻におけるブレーキからアクセルへの切換え判定点を結んだ、ブレーキからアクセルへの切換え線を第２の切換え線と定義し、
各判定基準点の時刻で検出した車速が前記第１の切換え線を上回ったときにアクセルからブレーキに切換え、各判定基準点の時刻で検出した車速が前記第２の切換え線を下回ったときにブレーキからアクセルに切換える切換え制御部を備えた請求項１又は２に記載の車両試験装置。
【請求項４】
シャシーダイナモメータ上で車両を走行させて車両の各種試験を行う車両試験装置における、
時刻と車速から定義される車両の運転パターンの基準モードに沿って、該基準モードから所定速度、所定時間ずれた範囲内で走行させるように車速追従制御を行うときの、アクセルからブレーキへ切換えるための第１の切換え車速偏差、又はブレーキからアクセルへ切換えるための第２の切換え車速偏差のうち、少なくともいずれか一方を算出する車速偏差算出方法であって、
前記運転パターンの基準モード上の現在時刻における判定基準点の車速を近似微分して基準モードの第１の傾斜を演算し、前記基準モードの第１の傾斜に、アクセルからブレーキに切換えるときの時間のずれを設定した第１の切換え時間偏差設定値を乗算し、前記乗算値に、アクセルからブレーキに切換えるときの車速のずれを設定した第１の切換え車速偏差設定値を加算することによって、前記判定基準点から、現在時刻におけるアクセルからブレーキへの切換え判定点までの第１の切換え車速偏差を算出する第１の算出処理か、
又は、前記運転パターンの基準モード上の現在時刻における判定基準点の車速を近似微分して基準モードの第２の傾斜を演算し、前記基準モードの第２の傾斜に、ブレーキからアクセルに切換えるときの時間のずれを設定した第２の切換え時間偏差設定値を乗算し、前記乗算値に、ブレーキからアクセルに切換えるときの車速のずれを設定した第２の切換え車速偏差設定値を加算することによって、前記判定基準点から、現在時刻におけるブレーキからアクセルへの切換え判定点までの第２の切換え車速偏差を算出する第２の算出処理、
のうち少なくともいずれか一方を実行する車両試験装置の車速偏差算出方法。